(57)【特許請求の範囲】
【請求項１】
掴線器を揺動可能に軸支する支持アームを一端に有したスライド軸を、軸方向にスライド操作可能に保持するスライド部と、
前記スライド部を電柱側に固定するクランプ部と
を備えたことを特徴とする張線装置。
【請求項２】
前記支持アームは、
前記スライド軸の軸周りに回動可能であり、且つ、所定の回動位置でロック可能な回動部を介して前記スライド軸の前記一端に取り付けられていることを特徴とする請求項１に記載の張線装置。
【請求項３】
スパイラルハンガーと請求項１又は２に記載の張線装置とを用いて、２本の電柱間の高圧線上方に架設された旧架空地線を取り替える架空地線取替方法であって、
前記電柱の一方側で、前記高圧線と前記旧架空地線との間の高さ位置に、支持棒を略水平に取り付ける支持棒取付工程と、
前記支持棒取付工程にて固定された前記支持棒の先端に、上下方向に垂下させるようにガイドパイプを固定するガイドパイプ固定工程と、
前記ガイドパイプ固定工程にて固定されたガイドパイプ内を通して下方から新設架空地線を上方へ送る送上工程と、
架設されている前記旧架空地線に沿って渡された前記スパイラルハンガー内を挿通させて前記電柱の他方側から送られたガイドワイヤーの先端に、前記送上工程により持ち上げられた前記新設架空地線の先端を連結する連結工程と、
前記連結工程により連結した前記ガイドワイヤーを引き戻して前記新設架空地線を前記電柱の他方側に引き延ばす引延工程と
前記引延工程により引き延ばした前記新設架空地線の先端を前記電柱の他方側に固定すると共に、前記電柱の一方側で前記張線装置を用いて張力を加える張設工程と
を備えたことを特徴とする架空地線取替方法。
【発明の詳細な説明】
【技術分野】
【０００１】
この発明は、電柱間に渡される架空地線を取り替える際に用いられる張線装置及びこれを用いた架空地線取替方法に関するものである。
【背景技術】
【０００２】
電柱１００間に架設されたメッセンジャーワイヤー１０１に沿ってスパイラルハンガー１０２と呼ばれる螺旋状のケーブル支持具を配置し、このスパイラルハンガー１０２内を通すことにより、電柱１００間にケーブルを渡す延線方法が知られている。
【０００３】
図８は、このような従来の延線方法を示している。２本の電柱１００の間にメッセンジャーワイヤー１０１が張設されており、このメッセンジャーワイヤー１０１に螺旋状に巻きつけるようにスパイラルハンガー１０２が配置されている。スパイラルハンガー１０２は、図８から分かるように、メッセンジャーワイヤー１０１との間に隙間を空けて巻き付けられている。
【０００４】
電柱１００間にケーブルを渡す際、先ず、上述のメッセンジャーワイヤー１０１とスパイラルハンガー１０２との間の隙間にガイドワイヤー１０３が通される。このとき、ガイドワイヤー１０３がスパイラルハンガー１０２から外れないように、ガイドワイヤー１０３の先端には、先導具１０４が取り付けられている。この先導具１０４により、スパイラルハンガー１０２から外れることなく安定して進むことができる。
【０００５】
このようにして電柱１００間に渡したガイドワイヤー１０３の先端に、延線されるケーブルの先端が連結される。そして、ガイドワイヤー１０３を引き戻すことにより、ケーブルを電柱１００間に渡すことが可能となる。このような技術については、特許文献１に記載がある。
【０００６】
上述のような方法を用いると、延線すべきケーブルを下方に垂れ下がらせることなく確実に電柱間に渡すことができるので、下方の設備などと干渉することなく安全に作業を行うことができる。
【先行技術文献】
【特許文献】
【０００７】
【特許文献１】特開２０１０−２３３４３４号公報
【発明の概要】
【発明が解決しようとする課題】
【０００８】
高圧配電線の幹線部及び幹線部分と連系する５径間以上の分岐部分には、雷害対策を目的とした架空地線（ＧＷ：グランドワイヤー）が施設されている。
【０００９】
この架空地線は、電柱頭部に取り付けられた架空地線取付金物の先端に施設される。この架空地線を取り替える際、上述のようなスパイラルハンガーを利用した方法を用いることができる。
【００１０】
ところで、架空地線の約１メートル下方には、高圧線が架設されている。このため、錆などの経年劣化による取替工事の際は、周囲の設備への干渉の可能性を考慮して、停電状態で作業が行われることが多い。
【００１１】
しかしながら、今日の電力に大きく依存した社会情勢においては、たとえ短時間であっても送電を停止することは、産業その他の分野に多大な影響を及ぼすことになる。
【００１２】
そこで、本発明では、張線作業の効率を向上させる張線装置と、この張線装置を用いて、スパイラルハンガー使用による作業性を損なうことなく高圧線との電気的接触を防止し、無停電においても安全に作業を行うことのできる架空地線取替方法を提供することを目的とする。
【課題を解決するための手段】
【００１３】
上記目的を達成するために、本発明の張線装置は、掴線器を揺動可能に軸支する支持アームを一端に有したスライド軸を、軸方向にスライド操作可能に保持するスライド部と、前記スライド部を電柱側に固定するクランプ部とを備えたことを特徴とする。
【００１４】
また、本発明の張線装置は、上記構成に加えて、前記支持アームは、前記スライド軸の軸周りに回動可能であり、且つ、所定の回動位置でロック可能な回動部を介して前記スライド軸の前記一端に取り付けられていることを特徴とする。
【００１５】
また、本発明の架空地線取替方法は、スパイラルハンガー及び上記構成の張線装置を用いて、２本の電柱間の高圧線上方に架設された旧架空地線を取り替える架空地線取替方法であって、前記電柱の一方側で、前記高圧線と前記旧架空地線との間の高さ位置に、支持棒を略水平に取り付ける支持棒取付工程と、前記支持棒取付工程にて固定された前記支持棒の先端に、上下方向に垂下させるようにガイドパイプを固定するガイドパイプ固定工程と、前記ガイドパイプ固定工程にて固定されたガイドパイプ内を通して下方から新設架空地線を上方へ送る送上工程と、架設されている前記旧架空地線に沿って渡された前記スパイラルハンガー内を挿通させて前記電柱の他方側から送られたガイドワイヤーの先端に、前記送上工程により持ち上げられた前記新設架空地線の先端を連結する連結工程と、前記連結工程により連結した前記ガイドワイヤーを引き戻して前記新設架空地線を前記電柱の他方側に引き延ばす引延工程と前記引延工程により引き延ばした前記新設架空地線の先端を前記電柱の他方側に固定すると共に、前記電柱の一方側で前記張線装置を用いて張力を加える張設工程とを備えたことを特徴とする。
【発明の効果】
【００１６】
以上のように、本発明によれば、掴線器が支持アームに対して揺動可能に軸支されている。これにより、掴線器をスライド軸側に折り返して配置できるので、省スペースで掴線器を保持するとともに、スライド軸を操作して高圧線に接近・干渉することなく、そのまま張線作業を行うことができる。
【００１７】
また、本発明によれば、上記効果に加えて、回動部における回動によって、支持アームがスライド軸に対して軸回転可能となる。これにより、クランプ部及びスライド部を多様な取付角度で設置できる。
【００１８】
また、本発明によれば、上記効果に加えて、架空地線を柱上に持ち上げる際、支持棒により保持されたガイドパイプ内を通して送られるので、目的とする高さ位置よりも低い位置に高圧線が設置されていても、電気的接触を防止し、安全に作業を行うことができる。
【図面の簡単な説明】
【００１９】
【図１】本発明の実施の形態に係る架空地線取替方法を示す図である。
【図２】図１の架空地線取替方法に用いられる張線装置の斜視図である。
【図３】図２の張線装置を別の角度から見た一部破断斜視図である。
【図４】図２の張線装置の回動部の拡大図である。
【図５】図１の架空地線取替方法に用いられる支持棒の斜視図である。
【図６】図１の架空地線取替方法に用いられる電柱取付用の支持棒及びその取付座の斜視図である。
【図７】図１の架空地線取替方法に用いられるガイドワイヤーを送り出すリールであり、（ａ）は一方を表に、（ｂ）は他方を表に配置した状態を示した斜視図である。
【図８】従来のケーブル延線方法を示す図である。
【発明を実施するための形態】
【００２０】
以下、本発明の実施の形態に係る架空地線取替方法及び、これに用いられる装置類について説明する。最初に、図１を参照して架空地線取り替え作業の概略を説明し、続いて、図２以降を参照しながら周辺の装置類について説明する。
【００２１】
図１は、本発明の実施の形態に係る架空地線取替方法において、電柱５０の上端部周辺の様子を示した斜視図である。
【００２２】
本実施の形態に係る架空地線取替方法では、スパイラルハンガー５３を用いて２本の電柱５０間に新設架空地線５２が張設される。図１では、新設架空地線５２を一点鎖線で示している。
【００２３】
電柱５０の先端には、架空地線取付金物５５が取り付けられており、その先端に旧架空地線５１が張設されている。この旧架空地線５１の約１メートル下方には高圧線５４が張設されている。
【００２４】
ここでは、このような電柱５０（一方側）に隣接する作業対象となる電柱については図示をせず、便宜的に電柱５０ａ（他方側）と呼ぶことにする。
【００２５】
先ず、電柱５０、５０ａ間にスパイラルハンガー５３が敷設される。電柱５０側からスパイラルハンガー５３が旧架空地線５１に沿わせて電柱５０ａ側に送られる。この作業は、旧架空地線５１の高さに配置されたバケット車上で行われるが、図示は省略している。
【００２６】
次に、渡されたスパイラルハンガー５３内に挿通させるようにして、ガイドワイヤー１８（図７を用いて後述する）が電柱５０ａ側から電柱５０側へ送られる。本実施の形態では、スパイラルハンガー５３を電柱５０側から挿通し、ガイドワイヤー１８を電柱５０ａ側から挿通する例を示した。作業効率を考慮するとこのような作業が望ましいが、スパイラルハンガー５３及びガイドワイヤー１８を同じ側から挿通しても構わない。
【００２７】
次に、支持棒１２が架空地線取付金物５５に対して取り付けられる（支持棒取付工程）。これにより、図１に示すように、高圧線５４と旧架空地線５１との間の高さ位置に支持棒１２が配置される。
【００２８】
これに続いて、高圧線５４よりも低い位置で、電柱５０に対して支持棒１４が取り付けられる。
【００２９】
そして、上方の支持棒１２に設けられたガイドパイプホルダー１２ａと、下方の支持棒１４に設けられたガイドパイプホルダー１４ａとによってガイドパイプ１６が固定される（ガイドパイプ固定工程）。このガイドパイプ１６は絶縁材で形成されているので、高圧線５４と接触することがあっても、感電を防止することができる。本実施の形態では、上方の支持棒１２を先に取り付ける例を示しているが、作業環境によっては下方から固定する場合もある。
【００３０】
次に、新設架空地線５２の先端が柱上に送られる（送上工程）。このとき、支持棒１２
、１４に固定されたガイドパイプ１６内を通して下方から上方へ新設架空地線５２が送られる。
【００３１】
電柱５０の柱上に達した新設架空地線５２の先端は、電柱５０側に位置しているガイドワイヤー１８の先端に連結される（連結工程）。
【００３２】
そして、ガイドワイヤー１８が電柱５０ａ側に引き戻されることで、連結された新設架空地線５２が電柱５０ａまで引き延ばされる（引延工程）。
【００３３】
電柱５０ａまで達した新設架空地線５２の先端は、電柱５０ａ側に固定され、電柱５０側で張り上げられる（張設工程）。このとき、図１に示されているように、架空地線取付金物５５に取り付けられている張線装置１により張力が加えられる。この張線装置１には掴線器１０が揺動可能に連結されている。これら張線装置１及び掴線器１０の構成については、図２を用いて後述する。
【００３４】
以上のように、新設架空地線５２が張設された後、旧架空地線５１が撤去される。撤去作業においては、支持棒１２、１４により固定されたガイドパイプ１６を通して旧架空地線５１が地上に下ろされる。その後、支持棒１２、１４及びガイドパイプ１６等の工具類が撤去されて作業が終了する。
【００３５】
続いて、電柱５０の周辺の装置類について説明する。
【００３６】
図２は、本実施の形態に係る張線装置１の全体斜視図である。この張線装置１に連結される掴線器１０は点線で示してある。
【００３７】
図２に示すように、張線装置１は、スライド部２とクランプ部８とが一体に構成されている。スライド部２は、スライド軸として設けられているラック２ａを軸方向にスライド操作するための構成である。
【００３８】
ラック２ａの一端には回動部３が設けられている（この回動部３については、後に図４を用いて詳述する。）。そして、回動部３を介して掴線器１０を支持する支持アーム６が設けられている。掴線器１０は支持アーム６に対して揺動可能に軸支されている。
【００３９】
このような構成のスライド部２及び掴線器１０をクランプ部８によって架空地線取付金物５５に取り付けることができる。
【００４０】
図３は、図２の張線装置１の底面側から見た斜視図であり、スライド部２の内部が確認できるように一部破断させて示している。図３に示すように、張線装置１のスライド機構は、ラック２ａとピニオンギア２ｃとの組み合わせで構成されている。外部に突き出した入力軸２ｂに対して回転力を与えると、ピニオンギア２ｃと一体に配置されたウォームギア２ｄを介してラック２ａを軸方向に移動させることができる。
【００４１】
なお、本実施の形態では、ピニオンギアとラックによりスライド機構を構成した例を示したが、スライド軸自身が軸回転をしないような構成であれば、ラック２ａの代わりにネジ軸を用い、ピニオンギア２ｃの代わりにナットを用いることも可能である。
【００４２】
図４は、図２の張線装置１の回動部３の周辺を拡大した斜視図である。回動部３はラック２ａの一端に固定された固定部４と、固定部４に対して相対的に動くことのできる可動部５とから構成されており、図４では、可動部５が固定部４から軸方向に離間した状態が示されている。固定部４には可動部５側に向かって係合凸部４ａが突設されている。また
、可動部５側には、係合凸部４ａと係合可能な係合凹部５ａが複数箇所形成されている。具体的には、軸回りに９０度（所定の回動位置）の間隔を空けて４箇所の係合凹部５ａが形成されている。これにより、可動部５側を固定部４に対して９０度刻みで任意の回動位置にロックすることができる。
【００４３】
このように構成されていると、作業環境によってクランプ部８を図１のように設置することができず、傾いた姿勢で取り付けざるを得ない場合であっても、掴線器１０を作業に適した位置に配置することが可能である。
【００４４】
また、１８０度回転させると、張力を加える方向を反転させることが可能となる。電柱５０の一方側からバケットを配置して作業が行われるので、常に作業者側にスライド部２を配置することができるので、作業効率が著しく向上する。
【００４５】
なお、図２から図４の張線装置１では、掴線器１０をラック２ａから遠ざける方向に向けた回動位置に伸ばして操作することもできる。しかし、ラック２ａ側へ折り曲げるように掴線器１０を配置することにより、コンパクトに纏まるので、作業スペースを広く活用できると共に、入力軸２ｂの近くに掴線器１０を配置することができるので、視認性も向上する。
【００４６】
図５は、図１において架空地線取付金物５５に取り付けられた支持棒１２の全体斜視図である。この支持棒１２の先端には架空地線取付金物５５を挟持するためのクランプ部１２ｂが設けられている。このクランプ部１２ｂは本体側（棒側）とユニバーサルジョイント部１２ｃによって繋がっている。これにより本体側に対して角度を付けて狭持作業を行うことができ、作業効率が向上する。
【００４７】
図６は、図１において高圧線５４よりも下方位置で、電柱５０の側面に取り付けられた支持棒１４と、これを固定する支持棒取付座２０とを示した斜視図である。支持棒１４の先端には六角ジョイント１４ｂが設けられている。この六角ジョイント１４ｂは、支持棒取付座２０に形成された六角穴２０ａに挿入され、プランジャー２０ｂによりロックできる。このような支持棒取付座２０がベルト２０ｃで電柱５０に固定される。
【００４８】
図５、６に示したように、本実施の形態に係る構成では、高圧線５４の上下位置で支持棒１２、１４によってガイドパイプが固定されているので、高圧線５４との間に安定して空間を維持することができ、活線状態においても安全が確保される。
【００４９】
以上のように、本実施の形態では、高圧線５４の上下ともに支持棒１２、１４を設けた構成を示したが、少なくとも、高圧線５４よりも上方に支持棒１２を配置するだけで、作業の安全性が格段に上昇する。
【００５０】
図７は、バケット５６とこれに設置されるリール２２とが示されている。ここでは、説明の便宜のため、バケット５６を支えるアームなどの構造については図示を省略している。
【００５１】
リール２２は、図１を用いた作業手順の説明の際に述べた、ガイドワイヤー１８を収容及び繰り出すことができる。２〜３径間に引き渡す長さであればバケット５６上に配置して作業が行えるので、上述のような高圧線５４との干渉の恐れもなく、作業効率が向上する。
【００５２】
図７に示すリール２２には、バケット５６に係止できるフック２４ａ、２４ｂが設けられている。そして、これらフック２４ａ、２４ｂは、ガイドワイヤー１８を収容する巻き
取り部２６を挟んで両側に設けられている。これにより、フック２４ａ、２４ｂの何れにおいてもバケット５６に取り付けることが可能である。図７（ａ）はフック２４ａにより取り付けられた状態を示しており、図７（ｂ）はそれとは逆側のフック２４ｂによって取り付けられた状態を示している。よって、ガイドワイヤー１８を送り出したい方向に合わせて設置状態を選択できるので、バケット５６を移動させることなく、作業方向を変えることができる。
【符号の説明】
【００５３】
１  張線装置
２  スライド部
２ａ  ラック（スライド軸）
２ｂ  入力軸
２ｃ  ピニオンギア
２ｄ  ウォームギア
３  回動部
４  固定部
４ａ  係合凸部
５  可動部
５ａ  係合凹部
６  支持アーム
８  クランプ部
１０  掴線器
１２、１４  支持棒
１２ａ、１４ａ  ガイドパイプホルダー
１２ｂ  クランプ部
１２ｃ  ユニバーサルジョイント部
１４ｂ  六角ジョイント
１６  ガイドパイプ
１８  ガイドワイヤー
２０  支持棒取付座
２０ａ  六角穴
２０ｂ  プランジャー
２０ｃ  ベルト
２２  リール
２４  フレーム
２４ａ、２４ｂ  フック
２６  巻き取り部
５０、５０ａ  電柱
５１  旧架空地線
５２  新設架空地線
５３  スパイラルハンガー
５４  高圧線
５５  架空地線取付金物
５６  バケット
１００  電柱
１０１  メッセンジャーワイヤー
１０２  スパイラルハンガー
１０３  ガイドワイヤー
１０４  先導具
【図１】
0006570451.tif 000002
【図２】
0006570451.tif 000003
【図３】
0006570451.tif 000004
【図４】
0006570451.tif 000005
【図５】
0006570451.tif 000006
【図６】
0006570451.tif 000007
【図７】
0006570451.tif 000008
【図８】
0006570451.tif 000009